(57)【要約】【課題】小型な構成により、接点の状態を磁気的に保持するための保持力を容易に向上させることが可能な電磁リレーを得ること。【解決手段】電磁リレーは、可動子５７と、励磁コイルが巻かれておりかつ可動子５７が挿入される内部空間である挿入孔５４ｄが形成されている円筒５４ｈを有するボビン５４と、ボビン５４が固定されている第１ヨーク５１と、第１ヨーク５１に接する永久磁石５３と、永久磁石５３に接しており永久磁石５３とボビン５４との間に設けられた第２ヨーク５２と、を有するアクチュエータを備える。ボビン５４には、円筒５４ｈの一部が内部空間に到達するまで切り欠かれた形状をなす切り欠き部５４ｇが設けられている。第２ヨーク５２は、切り欠き部５４ｇにて、第２ヨーク５２のうち永久磁石５３と接する側とは逆側の一部を円筒５４ｈの外面よりも内部空間の側へ入り込ませて配置されている。【選択図】図２２
2020080287.tif 000002
【特許請求の範囲】
【請求項１】
互いに対向する第１固定接触子および第１可動接触子と、
互いに対向する第２固定接触子および第２可動接触子と、
前記第１固定接触子と前記第１可動接触子との接触および接触の解除ならびに前記第２固定接触子と前記第２可動接触子との接触および接触の解除を行わせる可動子と、通電による励磁によって前記可動子を動作させる励磁コイルと、前記励磁コイルが巻かれておりかつ前記可動子が挿入される内部空間が形成されている円筒を有するボビンと、前記ボビンが固定されている第１ヨークと、前記第１ヨークに接する永久磁石と、前記永久磁石に接しており前記永久磁石と前記ボビンとの間に設けられた第２ヨークと、を有するアクチュエータと、
を備え、
前記ボビンには、前記円筒の一部が前記内部空間に到達するまで切り欠かれた形状をなす切り欠き部が設けられており、
前記第２ヨークは、前記切り欠き部にて、前記第２ヨークのうち前記永久磁石と接する側とは逆側の一部を前記円筒の外面よりも前記内部空間の側へ入り込ませて配置されていることを特徴とする電磁リレー。
【請求項２】
前記内部空間を構成する前記円筒の内壁のうち前記第２ヨークの側の位置に、前記可動子に接触可能とされた凸部が設けられていることを特徴とする請求項１に記載の電磁リレー。
【発明の詳細な説明】
【技術分野】
【０００１】
本発明は、複数の回路の開閉を可能とする電磁リレーに関する。
【背景技術】
【０００２】
従来、小型分電盤または計器ボックスへ内蔵できるように構成の簡易化あるいは構成の小型化がなされた電磁リレーが知られている。特許文献１には、励磁コイルの励磁によって動作する１つの可動子と可動子とともに移動可能な１つのクロスバーとを有するアクチュエータによって複数の固定接触子と複数の可動接触子との接触と接触の解除とを可能とした電磁リレーが開示されている。特許文献１の技術によると、複数の可動子と複数のクロスバーとを要する場合よりもアクチュエータの構成を簡易かつ小型にすることが可能となる。特許文献１の電磁リレーは、簡易かつ小型な構成によって複数の回路を開閉することができる。
【先行技術文献】
【特許文献】
【０００３】
【特許文献１】特開２００９−２６６５１号公報
【発明の概要】
【発明が解決しようとする課題】
【０００４】
電磁リレーに要求される仕様の変更などに伴い、アクチュエータによって接点の状態を磁気的に保持するための保持力、すなわちラッチ力の向上が求められた場合には、高い磁気特性を有するアクチュエータが必要となる。アクチュエータは、アクチュエータに備えられる永久磁石の交換による磁束量の増加または可動子の断面積の拡大によって磁気特性を向上させ得る。しかしながら、小型な構成のアクチュエータでは、寸法の制約あるいはコストの観点から、永久磁石の交換による磁束量を増加させることと可動子の断面積を拡大させることとが困難である。このため、上記特許文献１にかかる従来の電磁リレーは、小型な構成によって、接点の状態を磁気的に保持するための保持力を向上させることが困難であるという問題があった。
【０００５】
本発明は、上記に鑑みてなされたものであって、小型な構成により、接点の状態を磁気的に保持するための保持力を容易に向上させることが可能な電磁リレーを得ることを目的とする。
【課題を解決するための手段】
【０００６】
上述した課題を解決し、目的を達成するために、本発明にかかる電磁リレーは、互いに対向する第１固定接触子および第１可動接触子と、互いに対向する第２固定接触子および第２可動接触子と、を備える。本発明にかかる電磁リレーは、第１固定接触子と第１可動接触子との接触および接触の解除ならびに第２固定接触子と第２可動接触子との接触および接触の解除を行わせる可動子と、通電による励磁によって可動子を動作させる励磁コイルと、励磁コイルが巻かれておりかつ可動子が挿入される内部空間が形成されている円筒を有するボビンと、ボビンが固定されている第１ヨークと、第１ヨークに接する永久磁石と、永久磁石に接しており永久磁石とボビンとの間に設けられた第２ヨークと、を有するアクチュエータを備える。ボビンには、円筒の一部が内部空間に到達するまで切り欠かれた形状をなす切り欠き部が設けられている。第２ヨークは、切り欠き部にて、第２ヨークのうち永久磁石と接する側とは逆側の一部を円筒の外面よりも内部空間の側へ入り込ませて配置されている。
【発明の効果】
【０００７】
本発明によれば、小型な構成により、接点の状態を磁気的に保持するための保持力を容易に向上させることができるという効果を奏する。
【図面の簡単な説明】
【０００８】
【図１】本発明の実施の形態１にかかる電磁リレーの外観を示した第１の斜視図
【図２】図１に示す電磁リレーの外観を示した第２の斜視図
【図３】図１に示す電磁リレーの分解斜視図
【図４】図３に示す電磁リレーが有する筐体から第１固定接触子側端子金具と第２固定接触子側端子金具とが取り外された状態を示す斜視図
【図５】図４に示す第１固定接触子側端子金具の第１の斜視図
【図６】図４に示す第１固定接触子側端子金具の第２の斜視図
【図７】図４に示す第１可動接触子側端子金具の第１の斜視図
【図８】図４に示す第１可動接触子側端子金具の第２の斜視図
【図９】図４に示す筐体が有するケースからアクチュエータと端子金具保持壁とが取り外された状態を示す斜視図
【図１０】図９に示すアクチュエータを示す斜視図
【図１１】図９に示す端子金具保持壁を示す斜視図
【図１２】図９に示すアクチュエータの分解斜視図
【図１３】図９に示すアクチュエータのうちの一部と端子金具保持壁とを示す斜視図
【図１４】図９に示すアクチュエータが有するクロスバーを示す第１の斜視図
【図１５】図９に示すアクチュエータが有するクロスバーを示す第２の斜視図
【図１６】図９に示すケースから第１可動接触子側端子金具と第２可動接触子側端子金具とが取り外された状態を示す斜視図
【図１７】図１に示す電磁リレーをカバーの側から見た状態を示す平面図
【図１８】図１７に示すXVIII−XVIII線における電磁リレーの断面図
【図１９】図１７に示すXIX−XIX線における電磁リレーの断面図
【図２０】図１に示す電磁リレーの動作について説明する第１の図
【図２１】図１に示す電磁リレーの動作について説明する第２の図
【図２２】図１０に示すXXII−XXII線におけるアクチュエータの断面図
【図２３】図１３に示すXXIII−XXIII線におけるアクチュエータの断面図
【発明を実施するための形態】
【０００９】
以下に、本発明の実施の形態にかかる電磁リレーを図面に基づいて詳細に説明する。なお、この実施の形態によりこの発明が限定されるものではない。
【００１０】
実施の形態１．
図１は、本発明の実施の形態１にかかる電磁リレー１００の外観を示した第１の斜視図である。図２は、図１に示す電磁リレー１００の外観を示した第２の斜視図である。第２の斜視図は、第１の斜視図の場合とは異なる方向から電磁リレー１００の外観を見た様子を示している。図３は、図１に示す電磁リレー１００の分解斜視図である。ここでは図１から図３を参照して、電磁リレー１００の外観構成について説明する。
【００１１】
電磁リレー１００の外殻を構成する筐体１００ａは、ケース１１と、ケース１１へ挿入された端子金具保持壁１２と、板状のカバー６とにより構成されている。端子金具保持壁１２は、第１固定接触子側端子金具１Ａと第２固定接触子側端子金具２Ａと第１可動接触子側端子金具１Ｂと第２可動接触子側端子金具２Ｂとを保持する。
【００１２】
第１固定接触子側端子金具１Ａと第２固定接触子側端子金具２Ａと第１可動接触子側端子金具１Ｂと第２可動接触子側端子金具２Ｂとは、電磁リレー１００と外部電路との接続のための外部端子である。第１固定接触子側端子金具１Ａと第１可動接触子側端子金具１Ｂとは、開閉が行われる１つの回路である第１回路を構成する。第２固定接触子側端子金具２Ａと第２可動接触子側端子金具２Ｂとは、開閉が行われる他の１つの回路である第２回路を構成する。
【００１３】
第１固定接触子側端子金具１Ａは、筐体１００ａの外部に露出されている端部１Ａａを有する。第２固定接触子側端子金具２Ａは、筐体１００ａの外部に露出されている端部２Ａａを有する。第１可動接触子側端子金具１Ｂは、筐体１００ａの外部に露出されている端部１Ｂａを有する。第２可動接触子側端子金具２Ｂは、筐体１００ａの外部に露出されている端部２Ｂａを有する。第１固定接触子側端子金具１Ａと第２固定接触子側端子金具２Ａと第１可動接触子側端子金具１Ｂと第２可動接触子側端子金具２Ｂとは、電気抵抗が低い銅合金などの金属材料からなる導電性金属板である。
【００１４】
図３に示すように、カバー６は、カバーねじ７が締め込まれることによってケース１１に固定される。なお、図３には、カバー６が外された状態の電磁リレー１００を示している。ケース１１と端子金具保持壁１２とカバー６との材料には、ナイロン６，６などの、耐熱性および絶縁性を有する合成樹脂材料が使用される。また、電磁リレー１００は、筐体１００ａ内に設けられたアクチュエータ５０の通電のための制御信号ケーブル５を有する。
【００１５】
筐体１００ａの外形寸法は、縦の長さが５５ｍｍ、横の長さが５７ｍｍおよび厚さが２７ｍｍである。縦の長さは、筐体１００ａのうち端子金具保持壁１２の側の端と筐体１００ａのうち端子金具保持壁１２の側とは逆側の端との間の長さとする。横の長さは、第１固定接触子側端子金具１Ａと第２固定接触子側端子金具２Ａとが並べられている方向における長さとする。厚さは、縦の長さの方向と横の長さの方向とに垂直な方向における厚さとする。電磁リレー１００は、１００Ｖから２００Ｖの交流電圧が印加されるとともに６０Ａ程度の電流が流れる回路を開閉可能に構成されている。電磁リレー１００は、回路を流れる電流が６０Ａよりも小さい場合には、上記の外形寸法よりも外形寸法を小さくすることができる。
【００１６】
図４は、図３に示す電磁リレー１００が有する筐体１００ａから第１固定接触子側端子金具１Ａと第２固定接触子側端子金具２Ａとが取り外された状態を示す斜視図である。図４では、筐体１００ａを構成するカバー６の図示を省略している。
【００１７】
第１固定接触子側端子金具１Ａは、第１端子金具取付け部１５ｂに取り付けられる。第１端子金具取付け部１５ｂは、端子金具保持壁１２に設けられている。第２固定接触子側端子金具２Ａは、第２端子金具取付け部１５ａに取り付けられる。第２端子金具取付け部１５ａは、端子金具保持壁１２と、ケース１１のうちのケース前面壁部１１ａとによって構成されている。第１端子金具取付け部１５ｂと第２端子金具取付け部１５ａとの詳細については後述する。
【００１８】
図５は、図４に示す第１固定接触子側端子金具１Ａの第１の斜視図である。図６は、図４に示す第１固定接触子側端子金具１Ａの第２の斜視図である。第２の斜視図は、第１の斜視図の場合とは異なる方向から第１固定接触子側端子金具１Ａを見た様子を示している。
【００１９】
第１固定接触子側端子金具１Ａは、端部１Ａａとは逆側の端部に設けられた第１固定接触子１Ａｃを有する。第１固定接触子１Ａｃは、第１固定接触子側端子金具１Ａに固着されて、第１固定接触子側端子金具１Ａと一体とされている。第１固定接触子１Ａｃは、電気抵抗が低い銅合金などの金属材料からなる導電性金属板である。第１固定接触子１Ａｃには、第１固定接点１Ａｄが設けられている。第１固定接点１Ａｄの材料には、電気抵抗が低くかつ接触抵抗が低い材料である銀合金などが使用される。
【００２０】
図４に示す第２固定接触子側端子金具２Ａは、端部２Ａａとは逆側の端部に設けられた第２固定接触子２Ａｃを有する。第２固定接触子２Ａｃには、第２固定接点２Ａｄが設けられている。第２固定接触子２Ａｃは、第１固定接触子１Ａｃと同様に形成されている。第２固定接点２Ａｄは、第１固定接点１Ａｄと同様に形成されている。第２固定接触子側端子金具２Ａは、第１固定接触子側端子金具１Ａと同様の構成を有する。
【００２１】
図７は、図４に示す第１可動接触子側端子金具１Ｂの第１の斜視図である。図８は、図４に示す第１可動接触子側端子金具１Ｂの第２の斜視図である。第２の斜視図は、第１の斜視図の場合とは異なる方向から第１可動接触子側端子金具１Ｂを見た様子を示している。
【００２２】
第１可動接触子側端子金具１Ｂは、端部１Ｂａとは逆側の端部に設けられた第１可動接触子１Ｂｃを有する。第１可動接触子１Ｂｃは、第１可動接触子側端子金具１Ｂに固着されて、第１可動接触子側端子金具１Ｂと一体とされている。第１可動接触子１Ｂｃは、ベリリウム銅板などの、電気抵抗が低くかつ弾性を有する導電性金属板である。第１可動接触子１Ｂｃには、第１可動接点１Ｂｄが設けられている。第１可動接点１Ｂｄの材料には、電気抵抗が低くかつ接触抵抗が低い材料である銀合金などが使用される。
【００２３】
図４に示す第２可動接触子側端子金具２Ｂは、端部２Ｂａとは逆側の端部に設けられた第２可動接触子２Ｂｃを有する。第２可動接触子２Ｂｃには、第２可動接点２Ｂｄが設けられている。第２可動接触子２Ｂｃは、第１可動接触子１Ｂｃと同様に形成されている。第２可動接点２Ｂｄは、第１可動接点１Ｂｄと同様に形成されている。第２可動接触子側端子金具２Ｂは、第１可動接触子側端子金具１Ｂと同様の構成を有する。
【００２４】
図４に示す第１端子金具取付け部１５ｂに第１固定接触子側端子金具１Ａが取り付けられることによって、第１固定接触子側端子金具１Ａは、第１可動接点１Ｂｄに第１固定接点１Ａｄを対向させて配置される。図４に示す第２端子金具取付け部１５ａに第２固定接触子側端子金具２Ａが取り付けられることによって、第２固定接触子側端子金具２Ａは、第２可動接点２Ｂｄに第２固定接点２Ａｄを対向させて配置される。このように、電磁リレー１００は、互いに対向する第１固定接触子１Ａｃおよび第１可動接触子１Ｂｃと、互いに対向する第２固定接触子２Ａｃおよび第２可動接触子２Ｂｃとを有する。
【００２５】
第１固定接点１Ａｄと第１可動接点１Ｂｄとは、上記の第１回路の開閉を担う接点を構成する。第１回路は、第１固定接点１Ａｄと第１可動接点１Ｂｄとの接触によって閉じられ、かかる接触の解除によって開かれる。第２固定接点２Ａｄと第２可動接点２Ｂｄとは、上記の第２回路の開閉を担う接点を構成する。第２回路は、第２固定接点２Ａｄと第２可動接点２Ｂｄとの接触によって閉じられ、かかる接触の解除によって開かれる。
【００２６】
次に、図９および図１０を参照して、筐体１００ａへのアクチュエータ５０の取り付けのための構成について説明する。図９は、図４に示す筐体１００ａが有するケース１１からアクチュエータ５０と端子金具保持壁１２とが取り外された状態を示す斜視図である。図１０は、図９に示すアクチュエータ５０を示す斜視図である。図１０には、アクチュエータ５０を図９の場合とは異なる方向から見た様子を示している。
【００２７】
第１嵌合凹部１１ｆと、第２嵌合凹部１１ｇと、第１嵌合溝１１ｃとは、ケース１１の内側に形成されている。アクチュエータ５０は、第１嵌合凹部１１ｆに嵌合可能に形成された第１位置決め凸部５１ｃと、第２嵌合凹部１１ｇに嵌合可能に形成された第２位置決め凸部５４ｃと、第１嵌合溝１１ｃへ嵌合可能に形成された位置決めリブ５８ａとを有する。位置決めリブ５８ａは、クロスバー５８に形成されている。クロスバー５８の詳細については後述する。アクチュエータ５０は、第１嵌合凹部１１ｆへの第１位置決め凸部５１ｃの嵌合と、第２嵌合凹部１１ｇへの第２位置決め凸部５４ｃの嵌合と、第１嵌合溝１１ｃへの位置決めリブ５８ａの嵌合とによって、ケース１１において位置決めがなされるとともに、ケース１１に取り付けられる。
【００２８】
ケース１１にアクチュエータ５０が取り付けられてから、端子金具保持壁１２は、ケース１１に取り付けられる。端子金具保持壁１２は、ケース前面壁部１１ａへ差し込まれることにより、ケース１１に取り付けられる。端子金具保持壁１２は、ケース固定ねじ１３が締め込まれることによってケース１１に固定される。さらに、ケース１１には、制御信号ケーブル５が通されるケーブル配線溝１１ｂが形成されている。制御信号ケーブル５は、ケーブル配線溝１１ｂを通されて、筐体１００ａの外部へ引き出されている。
【００２９】
図１１は、図９に示す端子金具保持壁１２を示す斜視図である。図１１には、端子金具保持壁１２を図９の場合とは異なる方向から見た様子を示している。端子金具保持壁１２は、第４嵌合溝１２ａと、第５嵌合溝１２ｂと、後述するロッド５９が有する端部であるロッド端部５９ｃを嵌合可能に形成されたロッド嵌合凹部１２ｃとを有する。ケース前面壁部１１ａへ端子金具保持壁１２が差し込まれることによって、第４嵌合溝１２ａとケース前面壁部１１ａとからなる上記の第２端子金具取付け部１５ａが構成される。上記の第１端子金具取付け部１５ｂは、単独の第５嵌合溝１２ｂにより構成される。
【００３０】
次に、図１２および図１３を参照して、アクチュエータ５０の構成について説明する。図１２は、図９に示すアクチュエータ５０の分解斜視図である。図１３は、図９に示すアクチュエータ５０のうちの一部と端子金具保持壁１２とを示す斜視図である。図１３には、クロスバー５８が除かれた状態のアクチュエータ５０と端子金具保持壁１２とを、図９の場合とは異なる方向から見た様子を示している。
【００３１】
アクチュエータ５０は、円柱体である可動子５７と、通電による励磁によって可動子５７を動作させる励磁コイル５５と、励磁コイル５５が巻かれたボビン５４と、ボビン５４が固定されている第１ヨーク５１と、第１ヨーク５１に接する永久磁石５３と、永久磁石５３に接しており永久磁石５３とボビン５４との間に設けられた第２ヨーク５２と、を有する。上記の第１位置決め凸部５１ｃは、第１ヨーク５１に設けられている。また、上記の図１０に示す第２位置決め凸部５４ｃは、ボビン５４に設けられている。
【００３２】
励磁コイル５５は、開かれている電路を閉じるための電磁力を通電によって発生させる第１励磁コイル５５ａと、閉じられている電路を開くための電磁力を通電によって発生させる第２励磁コイル５５ｂとを有する。第２ヨーク５２は、励磁コイル５５の中心軸方向において、第１励磁コイル５５ａと第２励磁コイル５５ｂとの間の位置に配置されている。第１励磁コイル５５ａの巻線と第２励磁コイル５５ｂの巻線とは、１本の制御信号ケーブル５にて互いに束ねられる。第１励磁コイル５５ａの巻き方向と第２励磁コイル５５ｂの巻き方向とは、同じである。制御電流は、第１励磁コイル５５ａには巻き始めの側から通電され、第２励磁コイル５５ｂには巻き終わりの側から通電される。これにより、第１励磁コイル５５ａと第２励磁コイル５５ｂとによって互いに逆向きの力を可動子５７に作用させる。制御電流には、半波電流が用いられる。
【００３３】
ボビン５４のうち励磁コイル５５の中心軸の位置には、可動子５７が挿入される挿入孔５４ｄが形成されている。可動子５７の１つの端面には、ねじ穴５７ａが設けられている。ボビン５４は、第１ヨーク５１の外縁に掛け合わせ可能に形成された第１爪５４ａと、第１ヨーク５１を貫く掛け合わせ孔５１ａに掛け合わせ可能に形成された第２爪５４ｂとを有する。ボビン５４は、第１ヨーク５１との間に永久磁石５３と第２ヨーク５２とを挟み込んだ状態で、第１ヨーク５１の外縁に第１爪５４ａを掛け合せるとともに掛け合わせ孔５１ａに第２爪５４ｂを掛け合せることにより、第１ヨーク５１に固定される。
【００３４】
ボビン５４の材料には、ポリブチレンテレフタレート（PolyButylene  Terephthalate：ＰＢＴ）などの、耐熱性および絶縁性を有する合成樹脂材料が使用される。第１ヨーク５１、第２ヨーク５２および可動子５７の材料には、磁性体材料である鉄が使用される。なお、励磁コイル５５は、第１励磁コイル５５ａと第２励磁コイル５５ｂとの２個のコイルから構成されるものに限られず、単独のコイルからなるものであっても良い。
【００３５】
アクチュエータ５０は、クロスバー５８と、可動子５７の動作をクロスバー５８に伝達するロッド５９と、第１可動接点１Ｂｄおよび第２可動接点２Ｂｄに接点圧を付与する接圧ばね６０とを有する。ロッド５９のロッド端部５９ｃとは逆側の端部に設けられたロッドねじ部５９ａがねじ穴５７ａへ締め込まれることによって、ロッド５９は可動子５７と一体とされる。第１ヨーク５１には、ロッド５９が通される貫通孔５１ｂが設けられている。ロッドねじ部５９ａは、貫通孔５１ｂへロッド５９を通した状態にて、ねじ穴５７ａへ締め込まれる。
【００３６】
ロッド５９のうちロッドねじ部５９ａとロッド端部５９ｃとの中間部には、ばね止め部５９ｄが設けられている。ロッド５９のうちばね止め部５９ｄよりもロッド端部５９ｃの側の部分が接圧ばね６０を通されることによって、接圧ばね６０は、クロスバー５８とばね止め部５９ｄとの間に配設される。接圧ばね６０の一端は、ばね止め部５９ｄに当てられる。接圧ばね６０の他方の端は、クロスバー５８に当てられる。
【００３７】
ロッド５９のうち、ロッド端部５９ｃとばね止め部５９ｄとの間の位置には、Ｅリング６１を嵌め込み可能に形成されたＥリング固定溝５９ｂが設けられている。Ｅリング６１は、クロスバー５８をロッド５９が貫いている状態にてＥリング固定溝５９ｂへＥリング６１が嵌め込まれることにより、クロスバー５８からのロッド５９の脱落が防止される。なお、Ｅリング６１は、Ｅ形止め輪とも称される。
【００３８】
なお、ロッド５９と可動子５７との接続は、ねじ穴５７ａへのロッドねじ部５９ａの締め込みによるものに限られない。また、クロスバー５８とロッド５９との接続は、Ｅリング６１を使用するものに限られない。ロッド５９と可動子５７との接続と、クロスバー５８とロッド５９との接続とには、樹脂による接合が用いられても良い。
【００３９】
図１４は、図９に示すアクチュエータ５０が有するクロスバー５８を示す第１の斜視図である。図１５は、図９に示すアクチュエータ５０が有するクロスバー５８を示す第２の斜視図である。第２の斜視図は、第１の斜視図の場合とは異なる方向からクロスバー５８を見た様子を示している。
【００４０】
クロスバー５８は、上記の位置決めリブ５８ａと、接圧ばね６０が配設される凹部であるばね配設部５８ｂと、２個の押圧用凸部５８ｃと、４個の鉤部５８ｄとを有する。クロスバー５８の材料には、フェノール樹脂などの、耐熱性および絶縁性を有する合成樹脂材料が使用される。
【００４１】
押圧用凸部５８ｃには、クロスバー５８のうち押圧用凸部５８ｃが形成されている面に対して傾斜させた傾斜面が設けられている。一方の押圧用凸部５８ｃは、傾斜面の頂点が第１可動接触子１Ｂｃの中心の付近に対向するように設けられている。当該押圧用凸部５８ｃは、第１可動接触子１Ｂｃの中心の付近を押圧する。他方の押圧用凸部５８ｃは、傾斜面の頂点が第２可動接触子２Ｂｃの中心の付近に対向するように設けられている。当該押圧用凸部５８ｃは、第２可動接触子２Ｂｃの中心の付近を押圧する。
【００４２】
４個の鉤部５８ｄのうちの２個は、第１可動接触子１Ｂｃに掛け合わせ可能に互いに対向して設けられている。当該２個の鉤部５８ｄが第１可動接触子１Ｂｃに掛け合せられた状態でクロスバー５８が動作することによって、第１可動接触子１Ｂｃは引き上げられる。４個の鉤部５８ｄのうちの他の２個は、第２可動接触子２Ｂｃに掛け合わせ可能に互いに対向して設けられている。当該２個の鉤部５８ｄが第２可動接触子２Ｂｃに掛け合せられた状態でクロスバー５８が動作することによって、第２可動接触子２Ｂｃは引き上げられる。各鉤部５８ｄは、引き上げ動作のために、鉤形状をなしている。
【００４３】
次に、図９と図１６とを参照して、ケース１１への第１可動接触子側端子金具１Ｂと第２可動接触子側端子金具２Ｂとの取り付けのための構成について説明する。図１６は、図９に示すケース１１から第１可動接触子側端子金具１Ｂと第２可動接触子側端子金具２Ｂとが取り外された状態を示す斜視図である。
【００４４】
ケース１１は、第１可動接触子側端子金具１Ｂを嵌め込み可能に形成された第２嵌合溝１１ｄと、第２可動接触子側端子金具２Ｂを嵌め込み可能に形成された第３嵌合溝１１ｅとを有する。第１可動接触子側端子金具１Ｂは、第２嵌合溝１１ｄに嵌め込まれることによって、ケース１１にて位置決めがなされるとともに、ケース１１に取り付けられる。第２可動接触子側端子金具２Ｂは、第３嵌合溝１１ｅに嵌め込まれることによって、ケース１１にて位置決めがなされるとともに、ケース１１に取り付けられる。
【００４５】
次に、図１７と図１８とを参照して、ケース１１におけるクロスバー５８と第１可動接触子１Ｂｃと第２可動接触子２Ｂｃとの配置について説明する。図１７は、図１に示す電磁リレー１００をカバー６の側から見た状態を示す平面図である。図１８は、図１７に示すXVIII−XVIII線における電磁リレー１００の断面図である。
【００４６】
クロスバー５８は、位置決めリブ５８ａが第１嵌合溝１１ｃへ嵌合されることによって、ケース１１にて位置決めがなされるとともに、ケース１１に取り付けられる。位置決めリブ５８ａが第１嵌合溝１１ｃへ嵌合されることによって、図１８に示すθ方向およびθ’方向におけるクロスバー５８の回転が防止される。
【００４７】
また、図１８に示すように、第１可動接触子１Ｂｃは、４個の鉤部５８ｄのうちの２個に掛け合せられて配置されている。第２可動接触子２Ｂｃは、４個の鉤部５８ｄのうちの他の２個に掛け合せられて配置されている。
【００４８】
次に、図１７と図１９とを参照して、端子金具保持壁１２へのロッド５９の嵌合状態について説明する。図１９は、図１７に示すXIX−XIX線における電磁リレー１００の断面図である。図１９には、電磁リレー１００のうち、第１固定接触子側端子金具１Ａと第１可動接触子側端子金具１Ｂとを含む一部における断面構成を示している。図１９には、端子金具保持壁１２のロッド嵌合凹部１２ｃへロッド端部５９ｃが嵌合している状態を示している。
【００４９】
次に、実施の形態１にかかる電磁リレー１００の動作について、図２０と図２１とを参照して説明する。図２０は、図１に示す電磁リレー１００の動作について説明する第１の図である。図２１は、図１に示す電磁リレー１００の動作について説明する第２の図である。
【００５０】
制御信号ケーブル５を通じて第１励磁コイル５５ａに制御信号である励磁電流が流されると、第１ヨーク５１と第２ヨーク５２と可動子５７とにより構成される回路で電磁石が形成される。第１励磁コイル５５ａの通電によって、可動子５７は、励磁電流の方向に従って図２０に示されるＡ方向に移動する。制御信号ケーブル５を通じて第２励磁コイル５５ｂに制御信号である励磁電流が流されると、第１ヨーク５１と第２ヨーク５２と可動子５７により構成される回路で電磁石が形成される。第２励磁コイル５５ｂの通電によって、可動子５７は、励磁電流の方向に従って図２０に示されるＢ方向に移動する。可動子５７は、永久磁石５３によって励磁コイル５５の励磁状態が解消された後も、移動後の位置にて保持される。すなわち、第１ヨーク５１と第２ヨーク５２と可動子５７とは、釈放形電磁石を構成する。
【００５１】
ここで、第１固定接点１Ａｄと第１可動接点１Ｂｄとを接触させ、かつ第２固定接点２Ａｄと第２可動接点２Ｂｄとを接触させる閉成動作について説明する。第１固定接点１Ａｄから離れている第１可動接点１Ｂｄを第１固定接点１Ａｄへ接触させるとともに、第２固定接点２Ａｄから離れている第２可動接点２Ｂｄを第２固定接点２Ａｄへ接触させるには、第１励磁コイル５５ａへ励磁電流が流される。第１励磁コイル５５ａの通電によって、可動子５７は、Ａ方向へ移動する。
【００５２】
Ａ方向へ可動子５７が移動することによって、ロッド５９を介して、クロスバー５８がＡ方向に移動する。クロスバー５８がＡ方向に移動することによって、第１可動接触子１Ｂｃは、力点となる押圧用凸部５８ｃによって押圧される。第１支点１６が閉成動作時における支点であることから、押圧用凸部５８ｃによる押圧によって、第１可動接触子１Ｂｃのうち第１支点１６から力点の側の部分が第１固定接触子側端子金具１Ａの側へ向かうように撓む。第１可動接触子１Ｂｃが撓むことによって、第１可動接点１Ｂｄは、第１固定接点１Ａｄに接触する。第１固定接触子１Ａｃと第１可動接触子１Ｂｃとが電気的に導通することによって、上記の第１回路は閉じられる。
【００５３】
クロスバー５８がＡ方向に移動することによって、第２可動接触子２Ｂｃは、第１可動接触子１Ｂｃと同様に、力点となる押圧用凸部５８ｃによって押圧される。第２可動接触子２Ｂｃは、第１可動接触子１Ｂｃと同様に、第２固定接触子側端子金具２Ａの側へ向かうように撓む。第２可動接触子２Ｂｃが撓むことによって、第２可動接点２Ｂｄは、第２固定接点２Ａｄに接触する。第２固定接触子２Ａｃと第２可動接触子２Ｂｃとが電気的に導通することによって、上記の第２回路は閉じられる。このようにして、電磁リレー１００は、第１回路の閉成動作と第２回路の閉成動作とを同時に行う。
【００５４】
次に、第１固定接点１Ａｄと第１可動接点１Ｂｄとの接触を解除させ、かつ第２固定接点２Ａｄと第２可動接点２Ｂｄとの接触を解除させる開離動作について説明する。第１固定接点１Ａｄに接触している第１可動接点１Ｂｄを第１固定接点１Ａｄから引き離すとともに、第２固定接点２Ａｄに接触している第２可動接点２Ｂｄを第２固定接点２Ａｄから引き離すには、第２励磁コイル５５ｂへ励磁電流が流される。第２励磁コイル５５ｂの通電によって、可動子５７は、Ｂ方向へ移動する。
【００５５】
Ｂ方向へ可動子５７が移動することによって、ロッド５９を介して、クロスバー５８がＢ方向に移動する。クロスバー５８がＢ方向に移動することによって、第１可動接触子１Ｂｃの押圧が解除される。押圧が解除されると、第１可動接触子１Ｂｃは、第１可動接触子１Ｂｃの復元力によって撓みが無い状態となる。第１可動接触子１Ｂｃの撓みが無い状態となってからさらにクロスバー５８がＢ方向に移動することによって、第１可動接触子１Ｂｃは、力点となる鉤部５８ｄによって押圧される。第２支点１７が開離動作時における支点であることから、鉤部５８ｄによる押圧によって、第１可動接触子１Ｂｃのうち第２支点１７から力点を含む側の部分が第１固定接触子側端子金具１Ａの側とは逆側へ向かうように撓む。第１可動接触子１Ｂｃが撓むことによって、第１可動接点１Ｂｄは、第１固定接点１Ａｄから離される。第１固定接触子１Ａｃと第１可動接触子１Ｂｃとの電気的な導通が解消されることによって、上記の第１回路は開かれる。
【００５６】
クロスバー５８がＢ方向に移動することによって、第２可動接触子２Ｂｃは、第１可動接触子１Ｂｃと同様に、力点となる鉤部５８ｄによって押圧される。第２可動接触子２Ｂｃは、第１可動接触子１Ｂｃと同様に、第２固定接触子側端子金具２Ａの側とは逆の側へ向かうように撓む。第２可動接触子２Ｂｃが撓むことによって、第２可動接点２Ｂｄは、第２固定接点２Ａｄから離される。第２固定接触子２Ａｃと第２可動接触子２Ｂｃとの電気的な導通が解消されることによって、上記の第２回路は開かれる。このようにして、電磁リレー１００は、第１回路の開離動作と第２回路の開離動作とを同時に行う。電磁リレー１００は、１個の可動子５７と１個のクロスバー５８とを有する簡易な構成のアクチュエータ５０を使用して、２個の回路の開閉動作を行うことができる。
【００５７】
次に、実施の形態１にかかる電磁リレー１００が有する特徴的な構成であるボビン５４と第２ヨーク５２との位置関係について説明する。図２２は、図１０に示すXXII−XXII線におけるアクチュエータ５０の断面図である。図２３は、図１３に示すXXIII−XXIII線におけるアクチュエータ５０の断面図である。
【００５８】
図２２に示す断面と図２３に示す断面とは、ボビン５４のうちの円筒５４ｈを示している。励磁コイル５５は、円筒５４ｈに巻かれている。ボビン５４のうち可動子５７が挿入される内部空間である挿入孔５４ｄも、円筒５４ｈに形成されている。
【００５９】
ボビン５４には、円筒５４ｈの一部が挿入孔５４ｄに到達するまで切り欠かれた形状をなす切り欠き部５４ｇが設けられている。切り欠き部５４ｇは、円筒５４ｈのうち第２ヨーク５２の側の一部が取り除かれたようにして形成されている。図２３に示すように、第２ヨーク５２は、切り欠き部５４ｇの中に配置されている。これにより、第２ヨーク５２は、第２ヨーク５２のうち永久磁石５３と接する側とは逆側の一部を円筒５４ｈの外面５４ｉよりも挿入孔５４ｄの側へ入り込ませて配置されている。外面５４ｉよりも挿入孔５４ｄの側へ入り込ませて第２ヨーク５２が配置されることによって、可動子５７と第２ヨーク５２との距離は、外面５４ｉに第２ヨーク５２を接触させて第２ヨーク５２が配置される場合よりも短くなる。
【００６０】
アクチュエータ５０が有する磁気特性の高さは、永久磁石５３から、第２ヨーク５２を介して可動子５７に到達する磁束量に比例する。また、可動子５７に到達する磁束量は、可動子５７と第２ヨーク５２との距離に反比例する。外面５４ｉよりも挿入孔５４ｄの側へ第２ヨーク５２が入り込むことによって可動子５７と第２ヨーク５２との距離が短くなることから、電磁リレー１００は、アクチュエータ５０の磁気特性を高めることができる。電磁リレー１００は、アクチュエータ５０による磁気特性の向上によって、接点の状態を磁気的に保持するための保持力を向上させることができる。
【００６１】
電磁リレー１００は、切り欠き部５４ｇを有するボビン５４を使用することによって、アクチュエータ５０を大型化させることなくアクチュエータ５０の磁気特性を容易に向上できる。電磁リレー１００は、永久磁石５３の交換による磁束量の増加または可動子５７の断面積の拡大により磁気特性の向上を図る場合に比べて、小型な構成のアクチュエータ５０による磁気特性を容易に向上させることができる。
【００６２】
ボビン５４の耐久性確保またはボビン５４の安定した成形のため、ボビン５４の肉厚は一定の肉厚以上とする必要がある。このため、仮に切り欠き部５４ｇを設けず単にボビン５４を薄型化しても、かかる一定の肉厚よりも可動子５７と第２ヨーク５２との距離を縮めることができないことから、可動子５７と第２ヨーク５２との距離の短縮化は困難となる。実施の形態１によると、電磁リレー１００は、ボビン５４に切り欠き部５４ｇを設けることによって、可動子５７と第２ヨーク５２との距離を容易に縮めることができる。
【００６３】
挿入孔５４ｄを構成する円筒５４ｈの内壁のうち第２ヨーク５２の側の位置に、可動子５７に接触可能とされた凸部である２個の内壁凸部５４ｅ，５４ｆが設けられている。内壁凸部５４ｅと内壁凸部５４ｆとは、図２２において、第２ヨーク５２のうちボビン５４の側の面に垂直かつ円筒５４ｈの中心を通る線に対して対称な位置に配置されている。可動子５７が内壁凸部５４ｅ，５４ｆに接している状態では、可動子５７と第２ヨーク５２との間に隙間が形成される。内壁凸部５４ｅ，５４ｆが設けられていることによって、可動子５７は、可動子５７が内壁凸部５４ｅ，５４ｆに接しているときよりも第２ヨーク５２の側への移動が阻止される。電磁リレー１００は、内壁凸部５４ｅ，５４ｆが設けられることによって、可動子５７と第２ヨーク５２との距離を任意に設定することができる。
【００６４】
電磁リレー１００は、可動子５７と第２ヨーク５２との間に隙間が設けられることによって、第２ヨーク５２と可動子５７との接触による摩擦を無くすことができる。電磁リレー１００は、第２ヨーク５２と可動子５７との摺動によって第２ヨーク５２または可動子５７が削られることも無くすことができる。電磁リレー１００では、第２ヨーク５２または可動子５７が削られることによって発生した異物が入り込むことによる摩擦の増加を低減でき、さらに摩擦の増加による動作不良を低減できる。
【００６５】
２個の内壁凸部５４ｅ，５４ｆが設けられることにより、内壁凸部５４ｅ，５４ｆとの接触によって可動子５７が摺動するときにおける可動子５７の位置は、挿入孔５４ｄの中心に維持される。これにより、電磁リレー１００は、可動子５７の安定した摺動を維持することができる。
【００６６】
なお、内壁凸部５４ｅ，５４ｆは、可動子５７が内壁凸部５４ｅ，５４ｆに接している状態にて可動子５７と第２ヨーク５２とが接するような位置に配置されても良い。電磁リレー１００は、可動子５７と第２ヨーク５２とが接する状態にて、可動子５７と第２ヨーク５２との距離をゼロとすることができる。図２２に示す断面にて、内壁凸部５４ｅ，５４ｆとの２点での接触と第２ヨーク５２との１点での接触とによって可動子５７が摺動する場合に、可動子５７が第２ヨーク５２と１点のみにて接触する場合よりも、可動子５７の位置のぶれが低減する。この場合も、電磁リレー１００は、可動子５７の安定した摺動を維持することができる。
【００６７】
実施の形態１によると、電磁リレー１００は、ボビン５４に設けられた切り欠き部５４ｇにて、外面５４ｉよりも挿入孔５４ｄの側へ第２ヨーク５２の一部を入り込ませ第２ヨーク５２が配置されている。電磁リレー１００は、可動子５７と第２ヨーク５２との距離が短くなることによって、小型な構成のアクチュエータ５０を用いて、接点の状態を磁気的に保持するための保持力を容易に向上させることができる。これにより、電磁リレー１００は、小型な構成により、接点の状態を磁気的に保持するための保持力を容易に向上させることができるという効果を奏する。
【００６８】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００６９】
１Ａ  第１固定接触子側端子金具、１Ａａ，１Ｂａ，２Ａａ，２Ｂａ  端部、１Ａｃ  第１固定接触子、１Ａｄ  第１固定接点、１Ｂ  第１可動接触子側端子金具、１Ｂｃ  第１可動接触子、１Ｂｄ  第１可動接点、２Ａ  第２固定接触子側端子金具、２Ａｃ  第２固定接触子、２Ａｄ  第２固定接点、２Ｂ  第２可動接触子側端子金具、２Ｂｃ  第２可動接触子、２Ｂｄ  第２可動接点、５  制御信号ケーブル、６  カバー、７  カバーねじ、１１  ケース、１１ａ  ケース前面壁部、１１ｂ  ケーブル配線溝、１１ｃ  第１嵌合溝、１１ｄ  第２嵌合溝、１１ｅ  第３嵌合溝、１１ｆ  第１嵌合凹部、１１ｇ  第２嵌合凹部、１２  端子金具保持壁、１２ａ  第４嵌合溝、１２ｂ  第５嵌合溝、１２ｃ  ロッド嵌合凹部、１３  ケース固定ねじ、１５ａ  第２端子金具取付け部、１５ｂ  第１端子金具取付け部、１６  第１支点、１７  第２支点、５０  アクチュエータ、５１  第１ヨーク、５１ａ  掛け合わせ孔、５１ｃ  第１位置決め凸部、５２  第２ヨーク、５３  永久磁石、５４  ボビン、５４ａ  第１爪、５４ｂ  第２爪、５４ｃ  第２位置決め凸部、５４ｄ  挿入孔、５４ｅ，５４ｆ  内壁凸部、５４ｇ  切り欠き部、５４ｈ  円筒、５４ｉ  外面、５５  励磁コイル、５５ａ  第１励磁コイル、５５ｂ  第２励磁コイル、５７  可動子、５７ａ  ねじ穴、５８  クロスバー、５８ａ  位置決めリブ、５８ｂ  ばね配設部、５８ｃ  押圧用凸部、５８ｄ  鉤部、５９  ロッド、５９ａ  ロッドねじ部、５９ｂ  Ｅリング固定溝、５９ｃ  ロッド端部、５９ｄ  ばね止め部、６０  接圧ばね、６１  Ｅリング、１００  電磁リレー、１００ａ  筐体。
【図１】
2020080287.tif 000003
【図２】
2020080287.tif 000004
【図３】
2020080287.tif 000005
【図４】
2020080287.tif 000006
【図５】
2020080287.tif 000007
【図６】
2020080287.tif 000008
【図７】
2020080287.tif 000009
【図８】
2020080287.tif 000010
【図９】
2020080287.tif 000011
【図１０】
2020080287.tif 000012
【図１１】
2020080287.tif 000013
【図１２】
2020080287.tif 000014
【図１３】
2020080287.tif 000015
【図１４】
2020080287.tif 000016
【図１５】
2020080287.tif 000017
【図１６】
2020080287.tif 000018
【図１７】
2020080287.tif 000019
【図１８】
2020080287.tif 000020
【図１９】
2020080287.tif 000021
【図２０】
2020080287.tif 000022
【図２１】
2020080287.tif 000023
【図２２】
2020080287.tif 000024
【図２３】
2020080287.tif 000025